(57)【要約】      （修正有）【課題】接続異常の被疑箇所を容易に判定することができる電子装置を提供する。【解決手段】複数部分の状態を検出する複数の検出部と、前記複数の検出部のうち少なくとも一つが接続された第１の接続部と、前記複数の検出部のうち少なくとも他の一つが接続された第２の接続部と、制御部２１０と、前記第１の接続部及び前記第２の接続部と前記制御部とを接続する第３の接続部とを有し、前記制御部は、前記複数の検出部からの信号と、予め定められた信号状態とを比較して、前記第１の接続部、前記第２の接続部及び前記第３の接続部における接続異常を判定する判定手段を有する電子装置である。【選択図】図３
2011203635.tif 000002
【特許請求の範囲】
【請求項１】
複数部分の状態を検出する複数の検出部と、
前記複数の検出部のうち少なくとも一つが接続された第１の接続部と、
前記複数の検出部のうち少なくとも他の一つが接続された第２の接続部と、
制御部と、
前記第１の接続部及び前記第２の接続部と前記制御部とを接続する第３の接続部と
を有し、
前記制御部は、前記複数の検出部からの信号と、予め定められた信号状態とを比較して、前記第１の接続部、前記第２の接続部及び前記第３の接続部における接続異常を判定する判定手段を有する
電子装置。
【請求項２】
前記制御部は、
前記複数の検出部からの信号の状態の組合せを予め記憶する記憶手段
をさらに有する
請求項１に記載の電子装置。
【請求項３】
前記記憶部は、
前記複数の検出部からの信号の状態の組合せを、前記第３の接続部における接続状態に対応付けて予め記憶する
請求項２に記載の電子装置。
【請求項４】
前記判定部が、前記第１の接続部又は前記第２の接続部における接続異常と、前記第３の接続部における接続異常とを判定した場合、前記複数の検出部は、複数の部分の状態を新たに検知し、前記判定部は、前記第１の接続部又は前記第２の接続部に接続された前記複数の検出部からの信号と、予め定められた信号状態とをさらに比較して、前記第１の接続部又は前記第２の接続部における接続異常を判定する
請求項１に記載の電子装置。
【請求項５】
前記制御部は、
前記判定部が、前記第１の接続部、前記第２の接続部及び前記第３の接続部における接続異常を判定した場合、前記接続異常を外部に通知する通知手段
をさらに有する
請求項１に記載の電子装置。
【請求項６】
前記判定部が、前記第１の接続部又は前記第２の接続部における接続異常と、前記第３の接続部における接続異常とを判定した場合、前記複数の検出部が、複数の部分の状態を新たに検知できないときには、前記複数の検出部は、予め、当該接続異常が判定されないように前記第１の接続部又は前記第２の接続部に接続される
請求項４に記載の電子装置。
【請求項７】
複数部分の状態を検出する複数の検出部と、
前記複数の検出部のうち少なくとも一つが接続された第１の接続部と、
前記複数の検出部のうち少なくとも他の一つが接続された第２の接続部と、
制御部と、
前記第１の接続部及び前記第２の接続部と前記制御部とを接続する第３の接続部と、
コンピュータと
を有する電子装置に対し、
前記複数の検出部からの信号と、予め定められた信号状態とを比較して、前記第１の接続部、前記第２の接続部及び前記第３の接続部における接続異常を判定するステップをコンピュータに実行させるプログラム。
【発明の詳細な説明】
【技術分野】
【０００１】
本発明は、電子装置及びプログラムに関する。
【背景技術】
【０００２】
特許文献１には、コネクタが備える複数のポートのうち、互いに独立したデバイスに接続される複数のアナログポートからの信号を監視し、２つ以上の信号が実質的に同時に適正範囲を逸脱したことを検知した場合には、コネクタの接触不良の可能性があると判定する画像形成装置が開示されている。
【先行技術文献】
【特許文献】
【０００３】
【特許文献１】特開２００５−１７０６２８号公報
【発明の概要】
【発明が解決しようとする課題】
【０００４】
本発明の目的は、接続異常の被疑箇所を容易に判定することができる電子装置及びプログラムを提供することを目的とする。
【課題を解決するための手段】
【０００５】
[電子装置]
請求項１に係る本発明は、複数部分の状態を検出する複数の検出部と、前記複数の検出部のうち少なくとも一つが接続された第１の接続部と、前記複数の検出部のうち少なくとも他の一つが接続された第２の接続部と、制御部と、前記第１の接続部及び前記第２の接続部と前記制御部とを接続する第３の接続部とを有し、前記制御部は、前記複数の検出部からの信号と、予め定められた信号状態とを比較して、前記第１の接続部、前記第２の接続部及び前記第３の接続部における接続異常を判定する判定手段を有する電子装置である。
【０００６】
請求項２に係る本発明は、前記制御部は、前記複数の検出部からの信号の状態の組合せを予め記憶する記憶手段をさらに有する請求項１に記載の電子装置である。
【０００７】
請求項３に係る本発明は、前記記憶部は、前記複数の検出部からの信号の状態の組合せを、前記第３の接続部における接続状態に対応付けて予め記憶する請求項２に記載の電子装置である。
【０００８】
請求項４に係る本発明は、前記判定部が、前記第１の接続部又は前記第２の接続部における接続異常と、前記第３の接続部における接続異常とを判定した場合、前記複数の検出部は、複数の部分の状態を新たに検知し、前記判定部は、前記第１の接続部又は前記第２の接続部に接続された前記複数の検出部からの信号と、予め定められた信号状態とをさらに比較して、前記第１の接続部又は前記第２の接続部における接続異常を判定する請求項１に記載の電子装置である。
【０００９】
請求項５に係る本発明は、前記制御部は、前記判定部が、前記第１の接続部、前記第２の接続部及び前記第３の接続部における接続異常を判定した場合、前記接続異常を外部に通知する通知手段をさらに有する請求項１に記載の電子装置である。
【００１０】
請求項６に係る本発明は、前記判定部が、前記第１の接続部又は前記第２の接続部における接続異常と、前記第３の接続部における接続異常とを判定した場合、前記複数の検出部が、複数の部分の状態を新たに検知できないときには、前記複数の検出部は、予め、当該接続異常が判定されないように前記第１の接続部又は前記第２の接続部に接続される請求項４に記載の電子装置である。
【００１１】
[プログラム]
請求項７に係る本発明は、複数部分の状態を検出する複数の検出部と、前記複数の検出部のうち少なくとも一つが接続された第１の接続部と、前記複数の検出部のうち少なくとも他の一つが接続された第２の接続部と、制御部と、前記第１の接続部及び前記第２の接続部と前記制御部とを接続する第３の接続部と、コンピュータとを有する電子装置に対し、前記複数の検出部からの信号と、予め定められた信号状態とを比較して、前記第１の接続部、前記第２の接続部及び前記第３の接続部における接続異常を判定するステップをコンピュータに実行させるプログラムである。
【発明の効果】
【００１２】
請求項１に係る本発明によれば、本発明の構成を有していない場合に比べ、接続異常の被疑箇所を容易に判定することができる電子装置を提供することができる。
【００１３】
請求項２に係る本発明によれば、請求項１に係る本発明によって奏される効果に加えて、本発明の構成を有していない場合に比べ、簡易な構成で接続異常の被疑箇所を判定することができる電子装置を提供することができる。
【００１４】
請求項３に係る本発明によれば、請求項２に係る本発明によって奏される効果に加えて、第３の接続部における接続異常の可能性を判定することができる電子装置を提供することができる。
【００１５】
請求項４に係る本発明によれば、請求項１に係る本発明によって奏される効果に加えて、接続異常の被疑箇所を絞り込むことができる電子装置を提供することができる。
【００１６】
請求項５に係る本発明によれば、請求項１に係る本発明によって奏される効果に加えて、使用者に接続異常への対応を促すことができる電子装置を提供することができる。
【００１７】
請求項６に係る本発明によれば、請求項４に係る本発明によって奏される効果に加えて、複数の検出部が複数の部分の状態を新たに検知できない場合であっても、接続異常の影響を受けないようにすることができる電子装置を提供することができる。
【００１８】
請求項７に係る本発明によれば、本発明の構成を有していない場合に比べ、接続異常の被疑箇所を容易に判定することができるプログラムを提供することができる。
【図面の簡単な説明】
【００１９】
【図１】本発明の実施形態に係る電子装置としての印刷装置を含む、印刷システムの構成を示す図である。
【図２】図１の印刷装置のハードウエア構成を示す図である。
【図３】図２の制御部で動作する特定プログラムの構成を示す図である。
【図４】コネクタが正常にコネクタベースに嵌め込まれている状態と、コネクタ１６０の端がコネクタベースから抜けている状態とを説明するための図である。
【図５】図３の特定プログラムの動作フロー（Ｓ１０）を示すフローチャートである。
【図６】コネクタ及びセンサの接続例を示す図である。
【図７】コネクタのピンアサイン例を示す図である。
【図８Ａ】判定テーブルの一部を示す図である。
【図８Ｂ】判定テーブルの一部を示す図である。
【図８Ｃ】判定テーブルの一部を示す図である。
【図８Ｄ】判定テーブルの一部を示す図である。
【図８Ｅ】判定テーブルの一部を示す図である。
【図８Ｆ】判定テーブルの一部を示す図である。
【発明を実施するための最良の形態】
【００２０】
以下、本発明の実施形態について、図面を参照して詳細に説明する。なお、以下の説明は本発明を実施するのにあたっての一例に過ぎず、本発明が以下に説明される事項に限定されるわけではなく、必要に応じて適宜変更可能である。
例えば、以下、本発明の実施形態に係る電子装置は、印刷装置であるとして説明しているが、これ以外の装置であってもよい。
【００２１】
図１は、本発明の実施形態に係る電子装置としての印刷装置を含む、印刷システム１の構成を示す図である。
印刷システム１は、例えば、複数の印刷装置を直接接続して、基幹業務などに用いられる連続紙に印刷する重連システムである。
図１に示すように、印刷システム１は、一般的なコンピュータとしての機能（例えば、ディスプレイなどの表示機能や、マウス及びキーボードなどの入力機能）を備え、連続紙に印刷する印刷指示を生成する端末装置１００と、連続紙を供給する前処理装置１０２、端末装置１００からの印刷指示に基づいて連続紙の表面に印刷する印刷装置１２と、端末装置１００からの印刷指示に基づいて連続紙の裏面に印刷する印刷装置１４と、連続紙を巻き取る後処理装置１０４によって構成される。
これらの装置は、ネットワーク１０６を介して互いに通信可能に接続されている。
【００２２】
なお、印刷装置１２と印刷装置１４との間には、連続紙の表裏を反転する反転装置１０８が設けられている。前処理装置１０２から供給された連続紙は、印刷装置１２によって表面に印刷された後、反転装置１０８によって表裏が反転され、印刷装置１４によって裏面に印刷される。
また、印刷装置１２は、操作パネル１２０を備え、印刷装置１４は、操作パネル１４０を備える。操作パネル１２０及び操作パネル１４０は、印刷装置１２及び印刷装置１４に対するユーザからの操作の入力を受け付け、後述するコネクタ抜けの内容を出力する。
【００２３】
図２は、図１の印刷装置１２のハードウエア構成を示す図である。なお、印刷装置１２及び印刷装置１４は基本的に同様のハードウエア構成を採るため、ここでは、印刷装置１２についてのみ説明する。
図２に示すように、印刷装置１２は、制御部１６及びマーキングエンジン１８を有する。
このような構成により、印刷装置１２は、図１の端末装置１００からの印刷指示に基づいて印刷データを生成し、印刷データを連続紙に印刷するとともに、故障時には被疑箇所を特定する。
【００２４】
制御部１６は、例えば、ＣＰＵ、メモリ、記憶媒体などを備える制御基板である。
制御部１６は、端末装置１００から図１のネットワーク１０６を介して受け取った印刷指示に基づいて印刷データを生成し、この印刷データが連続紙に印刷されるよう、マーキングエンジン１８を制御する。制御部１６は、後述する特定プログラムを実行して、故障の被疑箇所を特定した場合には、図１の端末装置１００及び操作パネル１２０，１４０に通知する。
また、制御部１６には、コネクタ１６０がピン接続され、制御部１６は、コネクタ１６０を介して、後述するセンサ１９８からのデータ信号を受け付ける。なお、コネクタ１６０は、信号線及びハーネスを介してセンサ１９８と接続される。また、コネクタ１６０は、多段構成となることもある。
【００２５】
マーキングエンジン１８は、例えば、直接転写方式のデジタルカラープリンタであり、露光装置１８０、画像形成ユニット１８２、用紙搬送路１８４及び定着器１８６を備える。
露光装置１８０は、複数の発光点からなる発光点群を有する面発光レーザアレイチップから出射された複数のレーザビームを一括して走査させ、感光体ドラムに導くマルチビームの露光走査装置である。
【００２６】
画像形成ユニット１８２は、静電潜像を形成してトナー像を担持させる像担持体である感光体ドラム１８８、感光体ドラム１８８の表面を一様に帯電する帯電器１９０、感光体ドラム１８８上の静電潜像をトナーで可視化する現像器１９２、及び、感光体ドラムの表面に形成されたトナー像を連続紙に転写させる転写ローラ１９４を備える。
画像形成ユニット１８２は、感光体ドラム１８８の表面の静電潜像からトナー像を生成し、順次、連続紙に転写する。
【００２７】
用紙搬送路１８４には、用紙搬送路１８４に沿って複数組の搬送ローラ１９６が配列される。用紙搬送路１８４によって、図１の前処理装置１０２から供給された連続紙は、表面に印刷がなされた後、印字面を下にして、図１の反転装置１０８に搬送される（又は、反転装置１０８で反転された連続紙は、裏面に印刷がなされた後、印字面を下にして、図１の後処理装置１０４に搬送される）。
また、用紙搬送路１８４には、連続紙の有無を検知するセンサ１９８が設けられる。なお、センサ１９８は、例えば、フォトセンサ、フォトインタプリタ及びマイクロスイッチであり、印刷装置１内の他の部品に設けられてもよい。
定着器１８６は、連続紙に転写されたトナー像を定着させる。
【００２８】
次に、図２の制御部１６をさらに説明する。
図３は、図２の制御部１６で動作する特定プログラム２０の構成を示す図である。制御部１６は、ＣＰＵに対し、メモリ及び記憶媒体などから読み出した特定プログラム２０を実行させる。
【００２９】
図３に示すように、特定プログラム２０は、データ信号検出部２００、判定テーブル記憶部２０２、判定テーブル読出部２０４、コネクタ抜け判定部２０６、コネクタ抜け通知部２０８及び制御部２１０を有する。
データ信号検出部２００は、図２のコネクタ１６０を介して入力が受け付けられた、図２のセンサ１９８からのデータ信号について、レベルを検出する。
なお、データ信号のレベルとは、データ信号の状態を示すものであり、例えば、Ｈｉｇｈ及びＬｏｗのいずれかである。例えば、特定プログラム２０がフェールセーフで設計されている場合には、データ信号がオンであるとき、データ信号のレベルはＬｏｗとして検出され、データ信号がオフであるとき、データ信号のレベルはＨｉｇｈとして検出される。データ信号の状態に対してどちらのレベルを割り当てるかは、特定プログラム２０の仕様によって異なる。
【００３０】
判定テーブル記憶部２０２には、コネクタ１６０のピン、コネクタ１６０に接続されるセンサ１９８、データ信号のレベル及び判定内容を対応付けた判定テーブルが、コネクタ１６０ごとにあらかじめ記憶される。なお、コネクタ１６０のピン、コネクタ１６０に接続されるセンサ１９８、データ信号のレベル及び判定内容の組合せパターンは、コネクタ１６０がどのようにコネクタベースに嵌め込まれているかと、コネクタ１６０がどの装置に接続されているかとに基づいている。また、組合せパターンに対し、通し番号（パターン番号）が割り振られてもかまわない。
判定テーブル読出部２０４は、データ信号検出部２００においてデータ信号の入力を介したコネクタ１６０に対応する判定テーブルを読み出す。
【００３１】
コネクタ抜け判定部２０６は、データ信号検出部２００によって検出されたレベルと判定テーブル読出部２０４によって読み出された判定テーブルとに基づいて、コネクタ抜け及びコネクタ抜けの可能性があるかどうかを判定する。
なお、コネクタ抜けとは、コネクタ１６０が正常にコネクタベースに嵌め込まれている状態（例えば、図４（Ａ）に示す状態）に対し、コネクタ１６０の端の少なくともいずれかがコネクタベースから抜けている状態を意味する。
以下、コネクタ１６０の両端が抜けている状態を「全抜け」といい、コネクタ１６０の端が抜けている状態（例えば、図４（Ｂ）に示す状態）を「半抜け」という。半抜けの場合には、振動や経時変化によって接触不良になりやすく、コネクタ１６０の端のピンにおけるデータ信号の状態が不安定になりやすい。
また、以下、コネクタの全抜け、コネクタの全抜けの可能性、コネクタの半抜け及びコネクタの半抜けの可能性を総称して「コネクタ抜け」という。
【００３２】
コネクタ抜け通知部２０８は、コネクタ抜け判定部２０６によってコネクタ抜けがあると判定された場合には、図１の端末装置１００にコネクタ抜けを通知する。
なお、コネクタ１６０が多段構成をとっている場合、データ信号検出によって検出されたレベルによっては、コネクタ１６０−１に対応する判定テーブルから読み出し、コネクタ１６０−１についてコネクタ抜けを判定した後、コネクタ１６０−１に接続される別のコネクタ１６０−２についても同様の処理を行うことがある。
【００３３】
制御部２１０は、コネクタ抜け判定部２０６によってコネクタ抜けが特定できなかった場合には、後述するチェック動作を行うよう、図２のマーキングエンジン１８を制御する。
【００３４】
図５は、図３の特定プログラム２０の動作フロー（Ｓ１０）を示すフローチャートである。
なお、図２のコネクタ１６０及びセンサ１９８は、図６に示すように接続されているものとする。図６に示すように、コネクタ１６０は多段構成をとっており、センサ１９８−１〜１９８−５からのデータ信号は、センサ１９８を一括して接続するコネクタ１６０−３を介して、制御部１６に接続されるコネクタ１６０−１，１６０−２に送られる。コネクタ１６０−３は、センサ１９８−１〜１９８−５を一括して接続し、センサ１９８−１〜１９８−３からのデータ信号をコネクタ１６０−１に送るとともに、センサ１９８−４，１９８−５からのデータ信号をコネクタ１６０−２に送っている。
また、コネクタ１６０−１〜１６０−３は多極コネクタであり、コネクタ１６０−３は、図７に示すピンアサインを備えるものとする。
【００３５】
図５に示すように、ステップ１００（Ｓ１００）において、コネクタ１６０がセンサ１９８からデータ信号の入力を受け付けたか否かを判定する。データ信号の入力が受け付けられた場合には、ステップ１０２の処理に進み、そうでない場合には、ステップ１００の判定を繰り返す。ここでは、まず、センサ１９８を一括して接続するコネクタ１６０−３が、センサ１９８からデータ信号の入力を受け付けたか否かが判定される。
ステップ１０２（Ｓ１０２）において、図３のデータ信号レベル検出部２００は、ステップ１００において入力が受け付けられたデータ信号について、レベルを検出する。
【００３６】
ステップ１０４（Ｓ１０４）において、図３の判定テーブル読出部２０４は、ステップ１００においてデータ信号の入力を介したコネクタ１６０に対応する判定テーブルを読み出す。ここでは、コネクタ１６０−３に対応する判定テーブルを読み出す。コネクタ１６０−３に対応する判定テーブルは、例えば、図８Ａ〜８Ｆとして、一部が示されている。
ステップ１０６（Ｓ１０６）において、図３のコネクタ抜け判定部２０６は、ステップ１０２において検出されたレベルと、ステップ１０４において読み出された判定テーブルとに基づいて、判定テーブルの判定内容に応じた処理を行う。
【００３７】
ステップ１０２において検出されたレベルが、図８Ａに示す組合せパターンに該当する場合など、ステップ１００においてデータ信号の入力を介したコネクタ１６０において、コネクタ抜けがない場合には、処理を終了する。
図８Ａの組合せパターンにおいては、データ信号のレベルがすべてＬｏｗである（データ信号がすべてオンである）ので、コネクタ抜けはないと判定される。
【００３８】
また、ステップ１０２において検出されたレベルが、図８Ｂ，図８Ｃ，図８Ｄに示す組合せパターンに該当する場合など、ステップ１００においてデータ信号の入力を介したコネクタ１６０において、コネクタ抜けを特定できる場合には、ステップ１０８の処理に進む。
図８Ｂの組合せパターンにおいては、データ信号のレベルがすべてＨｉｇｈである（データ信号がすべてオフである）ので、コネクタ１６０−３が全抜けであると判定される。つまり、コネクタ１６０−３において、コネクタ抜けを特定できる。
図８Ｃの組合せパターンにおいては、コネクタ１６０−３の端のピン（Ａ２，Ａ４）におけるデータ信号のレベルがＨｉｇｈである（データ信号がオフである）ので、コネクタ１６０−３が半抜けであると判定される。つまり、コネクタ１６０−３において、コネクタ抜けを特定できる。
図８Ｄの組合せパターンにおいては、コネクタ１６０−３の端のピン（Ａ１０）におけるデータ信号のレベルがＨｉｇｈである（データ信号がオフである）ので、コネクタ１６０−３が半抜けの可能性があると判定される。つまり、コネクタ１６０−３において、コネクタ抜けを特定できる。
【００３９】
また、ステップ１０２において検出されたレベルが、図８Ｅ，図８Ｆに示す組合せパターンに該当する場合など、ステップ１００においてデータ信号の入力を介したコネクタ１６０において、コネクタ抜けを特定できない場合には、ステップ１１０の処理に進む。
図８Ｅの組合せパターンにおいては、一部のデータ信号のレベルがＨｉｇｈである（データ信号がオフである）ものの、コネクタの両端におけるデータ信号のレベルがＬｏｗである（データ信号がオンである）ので、コネクタ１６０−３は全抜けでもなく、半抜けでもないと判定される。つまり、コネクタ１６０−３において、コネクタ抜けを特定できない。
図８Ｆの組合せパターンにおいては、コネクタ１６０−３の端であって、コネクタ１６０−１に接続されるピン（Ａ２，Ａ４，Ａ６）におけるデータ信号のレベルがＨｉｇｈである（データ信号がオフである）ので、コネクタ１６０−３が半抜けか、コネクタ１６０−１が全抜けであると判定される。つまり、コネクタ１６０−３において、コネクタ抜けを特定できない。
【００４０】
ステップ１０８（Ｓ１０８）において、図３のコネクタ抜け通知部２０８は、ステップ１０６において判定されたコネクタ抜けの内容を、図１の端末装置１００及び操作パネル１２０，１４０に通知する。
例えば、コネクタ抜け通知部２０８は、コネクタ抜けの内容が端末装置１００のディスプレイ及び操作パネル１２０，１４０にエラーとして表示されるようにする。
なお、コネクタ抜けの内容が図１の印刷装置１の動作に支障のないものである場合には、コネクタ抜け通知部２０８は、端末装置１００及び操作パネル１２０，１４０に通知しなくてもかまわない。
【００４１】
ステップ１１０（Ｓ１１０）において、ステップ１０６においてコネクタ抜けを判定したコネクタ１６０に接続されるコネクタ１６０があれば、図３の制御部２１０は、このコネクタ１６０がセンサ１９８からのデータ信号の入力を受け付けるよう、図２のマーキングエンジン１８を動作させ（以下、「チェック動作」）、ステップ１００の処理に戻る。
例えば、ステップ１０２において検出されたレベルが、図８Ｆの組合せパターンに該当する場合、コネクタ１６０−３に接続されるコネクタ１６０−１がセンサ１９８からのデータ信号の入力を受け付けるよう、チェック動作が行われ、コネクタ１６０−１についてステップ１００〜１０８の処理が行われる。
なお、コネクタ１６０に接続されるコネクタ１６０が複数ある場合には、複数のコネクタ１６０それぞれについて、チェック動作が行われ、ステップ１００〜１０８の処理が行われる。
【００４２】
マーキングエンジン１８が印刷中であるなど、チェック動作をすぐに行うことができない場合には、制御部２１０は、マーキングエンジン１８を停止させ、リスタートされるまでの時間にチェック動作を行ってもかまわない。
また、チェック動作を行うことができないことが予め分かっている場合には、コネクタ抜けが特定されないセンサ１９８は、コネクタ１６０の中央付近に接続させ、コネクタ抜けの影響を受けにくくなるようにしてもかまわない。
【００４３】
このように、コネクタ１６０がどのようにコネクタベースに嵌め込まれているかと、コネクタ１６０がどの装置に接続されているかとに基づいて、データ信号のレベルを組み合わせたパターンをあらかじめ記憶しておき、いずれの組合せパターンに該当するかに応じて、接続異常の被疑箇所を判定することによって、コネクタ１６０の両端にリターン線を設けるなど、ハードウエア上の変更を加える場合に比べ、接続異常の被疑箇所を容易に判定することができる。
【符号の説明】
【００４４】
１      印刷システム
１００  端末装置
１０２  前処理装置
１２    印刷装置
１４    印刷装置
１２０  操作パネル
１４０  操作パネル
１０４  後処理装置
１０６  ネットワーク
１０８  反転装置
１６    制御部
１６０  コネクタ
１８    マーキングエンジン
１８０  露光装置
１８２  画像形成ユニット
１８４  用紙搬送路
１８６  定着器
１８８  感光体ドラム
１９０  帯電器
１９２  現像器
１９４  転写ローラ
１９６  搬送ローラ
１９８  センサ
２０    特定プログラム
２００  データ信号検出部
２０２  判定テーブル記憶部
２０４  判定テーブル読出部
２０６  コネクタ抜け判定部
２０８  コネクタ抜け通知部
２１０  制御部
【図１】
2011203635.tif 000003
【図２】
2011203635.tif 000004
【図３】
2011203635.tif 000005
【図４】
2011203635.tif 000006
【図５】
2011203635.tif 000007
【図６】
2011203635.tif 000008
【図７】
2011203635.tif 000009
【図８Ａ】
2011203635.tif 000010
【図８Ｂ】
2011203635.tif 000011
【図８Ｃ】
2011203635.tif 000012
【図８Ｄ】
2011203635.tif 000013
【図８Ｅ】
2011203635.tif 000014
【図８Ｆ】
2011203635.tif 000015